(57)【要約】【課題】突起を設けた指サックには次のような課題があった。  指圧部位に対してまっすぐ押圧すると、先端のみのヒ゜ンホ゜イントの指圧になってしまう。また指の腹で指圧している時の様な形にするには、斜め方向に力を加えるので関節に負担がかかってしまう。【解決手段】本発明のツボ指圧器具は、弾性体からなる本体と、この本体内部に設けられた指を挿入する空洞と、この空洞と対抗して設けられた当接部とを有し、当接部を空洞の中心軸方向に対して一定方向のみに傾斜して設け、空洞に指を挿入し、方向に対し斜めに人体に当接させるものである。また、本発明のツボ指圧器具は、弾性体からなる本体と、前記本体に設けられた把持部と前記把持部と対抗して設けられた当接部とを有し、把持部の中心軸に対して一定方向にのみ傾斜して設け、把持部を握って指の押圧方向に対し、斜めに人体に当接させるものである。【選択図】図１
2012139254.tif 000002
【特許請求の範囲】
【請求項１】
弾性体からなる本体と、前記本体内部に設けられた指を挿入する空洞と、前記空洞と対抗して設けられた当接部とを有し、前記当接部は空洞の中心軸方向に対して一定方向のみに傾斜していることを特徴とするツボ指圧器具。 
【請求項２】
操作部の表面は略楕円形で、空洞の断面積よりも大きい面積を有することを特徴とする請求項１記載のツボ指圧器具。
【請求項３】
当接部に突起を設けたことを特徴とする、請求項１〜２のいずれか１項に記載のツボ指圧器具。
【請求項４】
当接部の突起が先端部分にかけて次第に小さく構成されている請求項３記載のツボ指圧器具。
【請求項５】
弾性体からなる本体と、前記本体に設けられた把持部と、前記把持部と対抗して設けられた当接部とを有し、把持部中心軸に対して一定方向にのみ傾斜しているツボ指圧器具。
【請求項６】
頭部を横断するベルトと、前記ベルトの内側に設けられた弾性体からなる指圧器具本体と、前記指圧器具本体の装着面と対抗して設けられた当接部とを有し、前記当接部は装着面の中心軸方向に対して一定方向に傾斜していることを特徴とするツボ指圧器具。
【発明の詳細な説明】
【技術分野】
【０００１】
本発明は、指関節に負担の無いまっすぐな押圧で、指で押圧しているような指圧に
なるツボ指圧器具に関する。
【背景技術】
【０００２】
指圧は、通常は指のみで行われるが、この指による押圧を更に効果的にするものとして、使用者の指に合わせた指サックに突起を設けたものが提案されている。
【先行技術文献】
【特許文献】
【０００３】
【特許文献１】実開１９９３−１５９４７号公報
【発明の概要】
【発明が解決しようとする課題】
【０００４】
突起を設けた指サックには次のような課題があった。
【０００５】
指圧部位に対してまっすぐ押圧すると、先端のみのヒ゜ンホ゜イントの指圧になってしまう。
また、指の腹で指圧している時の様な形にするには、斜め方向に力を加えるので指関節に負担がかかってしまう。
【課題を解決するための手段】
【０００６】
本発明のツボ指圧器具は、弾性体からなる本体と、この本体内部に設けられた指を挿入する空洞と、この空洞と対抗して設けられた当接部とを有し、当接部を空洞の中心軸方向に対して一定方向のみに傾斜して設け、空洞に指を挿入し、方向に対し斜めに人体に当接させるものである。
また、本発明のツボ指圧器具は、弾性体からなる本体と、前記本体に設けられた把持部と、前記把持部と対抗して設けられた当接部とを有し、当接部を把持部の中心軸に対して一定方向にのみ傾斜して設け、把持部を握って指の押圧方向に対し、斜めに人体に当接させるものである。
【発明の効果】
【０００７】
本発明のツボ指圧器具は空洞の中心軸に対して一定方向にのみ傾斜した当接部を設けたので、押圧したときの人の指の形状に近くなるので、人の押圧と同じような指圧効果が得られる。
また、中心軸方向に押圧しても人体には斜め方向に接触するので、指関節や筋肉に負担がかからない。
【０００８】
本発明のツボ指圧器具は、指挿入型で指挿入口より当接部が幅広くなっていて、当接部は非対称で一方向に斜めに傾斜している。更にその傾斜角度が空洞中心軸に対し２０−６０°程度好ましくは３０−５０°程度であり、その当接部に突起を設けている。このため力が集中しやすいので指による押圧と同等の効果が、指に負担の無いまっすぐな比較的軽い力で得られる。
【０００９】
本発明のツボ指圧器具は、指挿入型で指挿入口より当接部が幅広くなっていて、当接部は非対称で一方向に斜めに傾斜している。更にその傾斜角度が空洞中心軸に対し２０−６０°程度好ましくは３０−５０°程度であり、その当接部に突起を設けている。その突起は先端の部分に、外向きにカーブしていて柔らかい素材の吸盤が付いているので、突起と指圧部位との密着度が強まるため曲線部位や傾斜の有る部位の指圧でも力が集中しやすく、指による押圧と同等の効果が、指に負担の無いまっすぐな比較的軽い力で得られる。   
【００１０】
本発明のツボ指圧器具は、指挿入型で指挿入口より当接部が幅広くなっていて、当接部は非対称で一方向に斜めに傾斜している。更にその傾斜角度が空洞中心軸に対し２０−６０°程度好ましくは３０−５０°程度であり、その当接部に突起を設けている。その突起はその当接部の先端に行くほど小さいものが設けられているので、力がまっすぐ下側と傾斜先端側に集中しやすい。そのため、指に負担の無いまっすぐな比較的軽い力でも力の強さに関係なく多方向に効果的な指圧ができる。       
【００１１】
本発明のツボ指圧器具は、指挿入型で指挿入口より当接部が幅広くなっていて、当接部は非対称で一方向に斜めに傾斜している。更にその傾斜角度が空洞中心軸に対し２０−６０°程度好ましくは３０−５０°程度であり、その当接部に突起を設けている。その突起は、一定間隔の上向きの曲線と、一定間隔の縦の直線との交点に配置され、更にツボ指圧器具本体の傾斜部分の先端に行くほど小さい突起が設けられているので、力が先端方向に集中しやすくなる。そのため、指に負担の無いまっすぐな比較的軽い力でも力の強さに関係なくツボ指圧器具の先端方向に効果的な指圧ができる。   
【００１２】
本発明のツボ指圧器具は、弾性体からなる本体と、前記本体に設けられた把持部と前記把持部と対抗して設けられた当接部とを有し、把持部の中心軸に対して一定方向にのみ傾斜していて、把持部を握って指の押圧方向に対し斜めに人体に当接させるものである。当接部の傾斜角度は把持部中心軸に対し２０−６０°程度好ましくは３０−５０°程度である。そのため、把持部を握り込みまっすぐ押圧するとその角度になるので、手に負担のかかる斜め方向の押圧をしなくても、手に負担の無い力の加えやすいまっすぐの押圧で、指の腹で押圧した様な指圧ができる。   
【００１３】
本発明のツボ指圧器具は、弾性体からなる本体と、前記本体に設けられた把持部と前記把持部と対抗して設けられた当接部とを有し、把持部の中心軸に対して一定方向にのみ傾斜していて、把持部を握って指の押圧方向に対し斜めに人体に当接させるものである。当接部の傾斜角度は把持部に対し２０−６０°程度好ましくは３０−５０°程度であり、その当接部に突起を設けている。その突起は、一定間隔の上向きの曲線と、一定間隔の縦の直線との交点に配置され、更に傾斜部分の先端に行くほど、中央から端に行くほど小さい突起が設けられているので、力が先端方向、両端方向に集中しやすくなる。そのため顎のラインのように多方向に力が必要な部位の指圧に於いても、指に負担の無いまっすぐな比較的軽い力でも力の強さに関係なく多方向に効果的な指圧ができる。 
【００１４】
本発明の頭部固定式ツボ指圧器具は、頭部を横断するベルトと、前記ベルトの内側に設けられた弾性体からなる指圧器具本体と、前記指圧器具本体の装着面と対抗して設けられた当接部とを有し、前記当接部は装着面の中心軸に対して一定方向にのみ傾斜していることを特徴とするツボ指圧器具。左右のベルトの端にそれぞれ二種類の指圧器具本体を取り付けている。一方は、頭部を横断するベルトと指圧器具本体との接合部より指圧器具本体の当接部が幅広くなっていて、その当接部の角度が装着面の中心軸に対し２０−６０°程度好ましくは３０−５０°程度であり、その当接部に突起を設けている。その突起は、一定間隔の上向きの曲線と、一定間隔の縦の直線との交点に配置され、更に、当接部の先端に行くほど、中央から端に行くほど小さいものを設けている。そのため力が当接部の先端方向に集まりやすくなる。もう一方は、頭部を横断するベルトと指圧器具本体との接合部より指圧器具本体の当接部が幅広くなっていて、その当接部の角度が装着面の中心軸に対し２０−６０°程度好ましくは３０−５０°程度であり、その当接部に突起を設けている。  その突起は、一定間隔の上向きの曲線と、一定間隔の縦の直線との交点に配置され、更に、当接部の先端に行くほど、中央から端に行くほど小さいものを設けている。そのため力が先端方向、両端方向に集中しやすくなる。
【００１５】
耳の前と耳の後ろの顎のラインにツボ指圧器具を装着し、二箇所同時に刺激できるので、二箇所の部位をつまんで指圧しているような相乗効果でより効果的な指圧ができる。
【００１６】
実施例２、３のような突起を設けるとさらに指圧効果が高まる。
【図面の簡単な説明】
【００１７】
【図１】図１は本発明の実施例１の斜視図
【図２】図２は本発明の実施例１の正面図
【図３】図３は本発明の実施例１のＡ−Ａ断面図
【図４】図４は他の実施例の側面図
【図５】図５は他の実施例の突起を示す図
【図６】図６は他の実施例の突起を示す図
【図７】図７は他の実施例の側面図
【図８】図８は他の実施例の正面図
【図９】図９は他の実施例の正面図
【図１０】図１０は他の実施例の正面図
【図１１】図１１は他の実施例の側面図
【図１２】図１２は他の実施例の斜視図
【図１３】図１３は他の実施例の側面図
【図１４】図１４は他の実施例の側面図
【図１５】図１５は他の実施例の側面図
【図１６】図１６は他の実施例の正面図
【発明を実施するための形態】
【００１８】
本発明のツボ指圧器具は、弾性体からなる本体と、この本体内部に設けられた指を挿入する空洞と、この空洞と対抗して設けられた当接部とを有し、当接部を空洞の中心軸方向に対して一定方向のみに傾斜して設け、空洞に指を挿入し、方向に対し斜めに人体に当接させるものである。
【００１９】
本発明のツボ指圧器具は、弾性体からなる本体と、前記本体に設けられた把持部と前記把持部と対抗して設けられた当接部とを有し、把持部の中心軸に対して一定方向にのみ傾斜して設け、把持部を握って指の押圧方向に対し、斜めに人体に当接させるものである。
【実施例１】
【００２０】
本発明の実施例１を図１〜３に基づいて説明する。ツボ指圧器具の本体１は、弾性体で伸縮性素材で形成されており、内部に空洞３が形成されている。この空洞に対抗する面には、一定方向に傾斜した面からなる当接部２を設けている。当接部２の傾斜は、円柱を斜めにカットしたような断面形状であり、図に示すように一方向のみ先端が細かく、かつ中心に対して非対称な形状であり、人体の指先の形状に類似している。当接部２の表面は略楕円形状であり、その表面積は本体１の垂直断面の面積よりも大きくなっている。当接部２の一方向の傾斜角度αは、２０〜６０°程度好ましくは３０〜５０°程度に形成されており、その角度に類似した曲線形状でもよい。また先端や側面には、適度な丸みをつけて、肌への接触を和らげる用にしてもよい。
【００２１】
次に、動作について述べる。空洞３に指を挿入し、当接部２を人体のツボ部分に当接させ押圧する。このとき本体１が弾性体で形成され、一定方向に傾斜した面からなる当接部２の全体が人体に接触して押圧されることになる。当接部の人体への接触部分は押圧する力や人体の柔らかさによっても異なるが、通常の指圧時の力の作用によって当接部の大部分が人体に接触できる程度の素材の形状や硬度に設定する。
指圧的には、指は人体に対して垂直に力を作用させると、当接部２は斜めに接触し、直接指で指圧した時と同じような接触をする。このとき空洞３に挿入している指には、まっすぐな力が作用しており、指関節を曲げる力は作用しておらず、体全体の力によって押圧することができる。
【実施例２】
【００２２】
本発明の実施例２を図４に基づいて説明する。円錐形で先端が丸くなった突起４Ａ・４Ｂ・４Ｃ・４Ｄが当接部２設けられており。実施例１と同様に使用する。力が集中しやすいので、指による押圧と同等の効果が比較的軽い力で得られる。図５は突起４の拡大図である。
【実施例３】
【００２３】
本発明の実施例３を図６に基づいて説明する。先端の部分に外向きにカーブしている吸盤４Ｅが付いている突起が、当接部２に設けられており。実施例１と同様に使用する。先端の部分に外向きにカーブしている吸盤４Ｅが設けられている突起なので、押圧すると吸盤と指圧部位の密着度が高まり、それにつれて突起と指圧部位との密着度も高まる。曲線部位や傾斜の有る部位を指圧する場合でも、力が集中しやすいので、指による押圧と同等の効果が比較的軽い力で得られる。                               
【実施例４】
【００２４】
本発明の実施例４を図７〜８に基づいて説明する。本発明のツボ指圧器具は突起５が当接部２に設けられており、その突起は図８に示すように一定間隔の横の直線と、一定間隔の縦の直線との交点に配置され当接部２の先端に行くほど小さくなっている。更に図５、６の二種類の突起をそれぞれ設けた、実施例１と同形状の二種類のツボ指圧器具である。実施例１と同様に使用する。力がまっすぐ下側と傾斜先端側に集中しやすい。そのため、まっすぐで弱い押圧でも力の強さに関係なく多方向に効果的な指圧ができる。この図８は当接部２の表面の突起の配列を示している。
【実施例５】
【００２５】
本発明の実施例５を図９に基づいて説明する。本発明のツボ指圧器具は突起５が当接部２に設けられており、その突起は図９に示すように一定間隔の上向きの曲線と、一定間隔の縦の直線との交点に配置され、更に傾斜部分の先端に行くほど小さくなっている図５、６の二種類の突起をそれぞれ設けた、実施例１と同形状の二種類のツボ指圧器具。実施例１と同様に使用する。力がツボ指圧器具の本体の当接部の先端方向に集中するので、まっすぐで弱い押圧でも力の強さに関係なく先端方向に効果的な指圧ができる。
【実施例６】
【００２６】
本発明の実施例６を図１０に基づいて説明する。本発明のツボ指圧器具は突起５が当接部２に設けられており、その突起５は図１０に示すように一定間隔の上向きの曲線と、一定間隔の縦の直線との交点に配置され、更に先端に行くほど、中央から端に行くほど小さくなっている図５、６の二種類の突起をそれぞれ設けられた実施例１と同形状の二種類のツボ指圧器具。実施例１と同様に使用する。力が当接部の先端方向と両端方向に集中しやすくなるので顎のラインのように湾曲していて、多方向に押圧が必要な部位の指圧でもまっすぐで弱い力の押圧でも、力の強さに関係なく効果的な指圧ができる。
【実施例７】
【００２７】
本発明の実施例７を図１１に基づいて説明する。ツボ指圧器具は弾性体からなる本体１１と、前記本体１１に設けられた把持部６と前記把持部と対抗して設けられた当接部２とを有し、把持部６の中心軸に対して一定方向にのみ傾斜して設け、把持部６を手のひらで握って指の押圧方向に対し、斜めに人体に当接させるものである。当接部２の傾斜角度αは図１１に示すように把持部６に対し２０−６０°好ましくは３０−５０°であり、その当接部２に突起５を設けているツボ指圧器具であり。把持部６を手のひらで包みこんで握り、平端部６Ａに手のひらを押しつけて押圧する。その突起５は、顎のラインの様に湾曲していて多方向に押圧が必要な部位の指圧でも、人の力を借りずに自分の手でまっすぐな弱い押圧でも力の強さに関係なく効果的な刺激ができる。 
【実施例８】
【００２８】
本発明の実施例８を図１２〜１６図に基づいて説明する。本発明の頭部固定式ツボ指圧器具は、頭部を横断するベルト７と、前記ベルトの内側に設けられた弾性体からなる指圧器具本体１と、前記指圧器具本体の装着面と対抗して設けられた当接部２とを有し、前記当接部は装着面の中心軸方向に対して一定方向に傾斜していることを特徴とするツボ指圧器具。左右のベルトの端にそれぞれ二種類の指圧器具本体を取り付けている。一方は図１３に示すように、頭部を横断するベルト７と指圧器具の本体１との接合部８より指圧器具の本体１の当接部２が幅広くなっていて、その当接部２の角度αが装着面に対し２０−６０°程度好ましくは３０−５０°程度であり、その当接部２に突起５を設けている。その突起５は、一定間隔の上向きの曲線と、一定間隔の縦の直線との交点に配置され、更に、当接部の先端に行くほど、中央から端に行くほど小さいものを設けている。
【００２９】
もう一方は図１４に示すように、頭部を横断するベルト７と指圧器具の本体１との接合部８より指圧器具の本体１の当接部２が幅広くなっていて、その当接部の角度αが装着面に対し２０−６０°程度好ましくは３０−５０°程度であり、その当接部に突起５を設けている。  その突起５は、一定間隔の上向きの曲線と、一定間隔の縦の直線との交点に配置され、更に、当接部の先端に行くほど、中央から端に行くほど小さいものを設けている。
耳を挟んで前に図１３のツボ指圧器具、後ろの顎のラインに図１４のツボ指圧器具を装着し、指圧器具の当接部２が指圧部位に密着するように使用する。前のツボ指圧器具は、指圧部位に対し内側と上側方向に力が集中し、後ろのツボ指圧器具は、指圧部位に対し内側、上側、両側方向に力が集中するので、二箇所同時に刺激することで、つまんで指圧しているような相乗効果でより効果的な指圧ができる。
【００３０】
実施例２、３のように突起を取り付けると、さらに指圧効果が高まる。 
【符号の説明】
【００３１】
１    ツボ指圧器具の本体          
２    当接部                          
３    空洞
４    突起先端の吸盤                                                            ５    突起
６    把持部
７    頭部固定式ツボ指圧器具のベルト
８    頭部固定式ツボ指圧器具のベルトと指圧器具の接合部
９    頭部固定式ツボ指圧器具の耳の前に装着する指圧器具
１０  頭部固定式ツボ指圧器具の耳の後ろ顎のラインに装着する指圧器具  
【図１】
2012139254.tif 000003
【図２】
2012139254.tif 000004
【図３】
2012139254.tif 000005
【図４】
2012139254.tif 000006
【図５】
2012139254.tif 000007
【図６】
2012139254.tif 000008
【図７】
2012139254.tif 000009
【図８】
2012139254.tif 000010
【図９】
2012139254.tif 000011
【図１０】
2012139254.tif 000012
【図１１】
2012139254.tif 000013
【図１２】
2012139254.tif 000014
【図１３】
2012139254.tif 000015
【図１４】
2012139254.tif 000016
【図１５】
2012139254.tif 000017
【図１６】
2012139254.tif 000018